(57)【特許請求の範囲】
【請求項１】
バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、
前記締め付け間隙を介し前記一対の締め付け部を互いに近づけて前記バッテリーポスト挿入穴を縮径方向に縮める締め付け手段、
を備えたバッテリーターミナルであって、
前記締め付け手段を、前記一対の締め付け部に対して左右方向に巻き付く帯状の第一板ブラケットと、前記環状部の上側から操作されると前記バッテリーポスト挿入穴の軸に沿って螺合状態が進行する第一ボルト及び第一ナットと、を有して構成するとともに、
前記第一板ブラケットの一端及び他端に、前記螺合状態が進行すると前記第一ボルト及び前記第一ナットによって互いが引き寄せられるボルト挿通部をそれぞれ形成した
ことを特徴とするバッテリーターミナル。
【請求項２】
請求項１に記載のバッテリーターミナルにおいて、
前記各ボルト挿通部に、弾性を有し互いに接触しあう弾性接触片を連成した
ことを特徴とするバッテリーターミナル。
【請求項３】
バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、
前記締め付け間隙を介し前記一対の締め付け部を互いに近づけて前記バッテリーポスト挿入穴を縮径方向に縮める締め付け手段、
を備えたバッテリーターミナルであって、
前記締め付け手段を、前記一対の締め付け部に対して左右方向に巻き付く環状の第二板ブラケットと、前記環状部の上側から操作されると前記バッテリーポスト挿入穴の軸に沿って螺合状態が進行するとともに前記軸の方向に沿って前記第二板ブラケットの間隔を広げる第二ボルト及び第二ナットと、を有して構成した
ことを特徴とするバッテリーターミナル。
【請求項４】
バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、
前記締め付け間隙を介し前記一対の締め付け部を互いに近づけて前記バッテリーポスト挿入穴を縮径方向に縮める締め付け手段、
を備えたバッテリーターミナルであって、
前記締め付け手段を、前記一対の締め付け部に対して左右方向に巻き付く帯状の第三板ブラケットと、前記環状部の上側から操作される第三ボルトと、を有して構成するとともに、
前記第三板ブラケットの表面に、前記第三ボルトのネジ山を挿入し該第三ボルトを回転することによって該第三ボルトのネジ山によって前記第三板ブラケットの一端側を巻き上げるための複数の溝を形成し、且つ前記第三板ブラケットの他端には、一端側を挿し込み挟んだ状態で前記第三ボルトを回転自在に保持する保持部を形成した
ことを特徴とするバッテリーターミナル。
【請求項５】
請求項１ないし請求項４いずれか記載のバッテリーターミナルにおいて、
前記締め付け手段の構成を、上締め用として構成とした
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図１５において、従来より用いられるバッテリーターミナル１は、導電性を有する金属板をプレス加工することにより製造されており、バッテリーポスト２に対する一対の環状部３、４と、一対の接合板５、６とを備えている。
【０００３  】
一対の環状部３、４は、略Ｕ字状に折り曲げられた締め付け部としての連結部７、７の各端部に連成されており、上下方向に重なるように配設されている。また、環状部３、４の各中央には、バッテリーポスト２を挿入するためのポスト挿入穴８、８が穿設されている。そのポスト挿入穴８、８には、バッテリーポスト２に接触する接触部９、９が折曲形成されている。環状部３、４は、ポスト挿入穴８、８の円周方向の一箇所が分断されており、そこに締め付け間隙１０、１０が開放形成されている。
【０００４  】
一対の接合板５、６は、各々、環状部３、４の連結部７、７の逆側に連成されている。また、接合板５、６は、上下方向に重なるように配設されている。下側の接合板６は、先端が上を向く側壁１１、１１を有しており、その側壁１１、１１の外側には、先端が下を向く、上側の接合板５の両側壁１２、１２が配置されている。下側の接合板６には、上側の接合板５を貫通する端子固定ボルト１３が立設されている。その端子固定ボルト１３は、接合板５、６で形成された空間に収納されている。
【０００５  】
尚、上記端子固定ボルト１３に挿通されて接続固定される外部接続端子１４は、車体側の電線１５の端末に設けられており、ワッシャ１６と共にナット１７で締め付けられるようになっている。外部接続端子１４は、ボルト挿通孔１８を有する電気接触部１９と、その電気接触部１９に連続し電線１５の端末を圧着する電線接続部２０とを備えて構成されている。
【０００６  】
上記構成において、バッテリーターミナル１のバッテリーポスト２に対する取り付けは、環状部３、４の連結部７、７に挿通したボルト２１をナット２２で締め付け、締め付け間隙１０、１０を狭めることで行われるようになっている。その際、バッテリーポスト２には、ポスト挿入穴８、８の接触部９、９が接触するようになっている。
【０００７  】
【発明が解決しようとする課題】
ところで上記従来技術にあっては、インパクトレンチ等の工具でナット２２をバッテリーポスト２の横側（水平方向）から締め付けて、バッテリーターミナル１をバッテリーポスト２へ取り付ける作業を行っていた。しかしながら、近年のエンジンルーム内の設置部品の過密化した状態においては、上記工具が設置部品に干渉し易く、バッテリーターミナル１の取り付けに係る作業に影響を来していた。
【０００８  】
本発明は、上述した事情に鑑みてなされるもので、取り付けに係る作業を容易にすることが可能なバッテリーターミナルを提供することを課題とする。
【０００９  】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、前記締め付け間隙を介し前記一対の締め付け部を互いに近づけて前記バッテリーポスト挿入穴を縮径方向に縮める締め付け手段、を備えたバッテリーターミナルであって、前記締め付け手段を、前記一対の締め付け部に対して左右方向に巻き付く帯状の第一板ブラケットと、前記環状部の上側から操作されると前記バッテリーポスト挿入穴の軸に沿って螺合状態が進行する第一ボルト及び第一ナットと、を有して構成するとともに、前記第一板ブラケットの一端及び他端に、前記螺合状態が進行すると前記第一ボルト及び前記第一ナットによって互いが引き寄せられるボルト挿通部をそれぞれ形成したことを特徴としている。
【００１０  】
請求項２記載の本発明のバッテリーターミナルは、請求項１に記載のバッテリーターミナルにおいて、前記各ボルト挿通部に、弾性を有し互いに接触しあう弾性接触片を連成したことを特徴としている。
【００１１  】
上記課題を解決するためなされた請求項３記載の本発明のバッテリーターミナルは、バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、前記締め付け間隙を介し前記一対の締め付け部を互いに近づけて前記バッテリーポスト挿入穴を縮径方向に縮める締め付け手段、を備えたバッテリーターミナルであって、前記締め付け手段を、前記一対の締め付け部に対して左右方向に巻き付く環状の第二板ブラケットと、前記環状部の上側から操作されると前記バッテリーポスト挿入穴の軸に沿って螺合状態が進行するとともに前記軸の方向に沿って前記第二板ブラケットの間隔を広げる第二ボルト及び第二ナットと、を有して構成したことを特徴としている。
【００１２】
上記課題を解決するためなされた請求項４記載の本発明のバッテリーターミナルは、バッテリーポストを挿入するためのバッテリーポスト挿入穴を一部分断された部分を有する状態で上下方向に貫通形成した環状部と、前記一部分断された部分に連通する締め付け間隙を設けて前記環状部に対し並設される一対の締め付け部と、を有するバッテリーターミナル本体、及び、前記締め付け間隙を介し前記一対の締め付け部を互いに近づけて前記バッテリーポスト挿入穴を縮径方向に縮める締め付け手段、を備えたバッテリーターミナルであって、前記締め付け手段を、前記一対の締め付け部に対して左右方向に巻き付く帯状の第三板ブラケットと、前記環状部の上側から操作される第三ボルトと、を有して構成するとともに、前記第三板ブラケットの表面に、前記第三ボルトのネジ山を挿入し該第三ボルトを回転することによって該第三ボルトのネジ山によって前記第三板ブラケットの一端側を巻き上げるための複数の溝を形成し、且つ前記第三板ブラケットの他端には、一端側を挿し込み挟んだ状態で前記第三ボルトを回転自在に保持する保持部を形成したことを特徴としている。
【００１３】
請求項５記載の本発明のバッテリーターミナルは、請求項１ないし請求項４いずれか記載のバッテリーターミナルにおいて、前記締め付け手段の構成を、上締め用として構成としたことを特徴としている。
【００１４  】
請求項１に記載された本発明によれば、締め付け手段の操作がバッテリーターミナル本体の環状部の上側から行われる。その操作は、第一ボルト及び第一ナットの螺合状態を進行させることにより開始される。そして、第一ボルト及び第一ナットの螺合状態が進行すると、その第一ボルト及び第一ナットによって、第一板ブラケットの一端及び他端の各ボルト挿通部が互いに引き寄せられ、第一板ブラケットが第一ボルト及び第一ナット側に絞り込まれる。これにより、一対の締め付け部が互いに近づく方向に締め付けられる。また、バッテリーポスト挿入穴が縮径方向に縮み、そのバッテリーポスト挿入穴がバッテリーポストに対して圧接状態となって、バッテリーターミナルの接続が完了する。
【００１５  】
請求項２に記載された本発明によれば、第一ボルト及び第一ナットによって、第一板ブラケットの一端及び他端の各ボルト挿通部が互いに引き寄せられると、各弾性接触片が互いに接触しあい（最初から弾性接触片が互いに接触しあう場合でも可）、各ボルト挿通部が第一ボルト側及び第一ナット側に押しつけられる。これにより、各ボルト挿通部の引き寄せが安定した状態で行われる。
【００１６  】
請求項３に記載された本発明によれば、締め付け手段の操作がバッテリーターミナル本体の環状部の上側から行われる。その操作は、第二ボルト及び第二ナットの螺合状態を進行させることにより開始される。そして、第二ボルト及び第二ナットの螺合状態が進行すると、その第二ボルト及び第二ナットによって、環状の第二板ブラケットがバッテリーポスト挿入穴の軸の方向に広げられ、且つ左右方向に絞り込まれる。これにより、一対の締め付け部が互いに近づく方向に締め付けられる。また、バッテリーポスト挿入穴が縮径方向に縮み、そのバッテリーポスト挿入穴がバッテリーポストに対して圧接状態となって、バッテリーターミナルの接続が完了する。
【００１７  】
請求項４に記載された本発明によれば、締め付け手段の操作がバッテリーターミナル本体の環状部の上側から行われる。その操作は、第三ボルトを保持部において回転させることにより開始される。そして、第三ボルトが回転すると、その第三ボルトによって、第三板ブラケットの他端が巻き上げられ、第三板ブラケットが絞り込まれる。これにより、一対の締め付け部が互いに近づく方向に締め付けられる。また、バッテリーポスト挿入穴が縮径方向に縮み、そのバッテリーポスト挿入穴がバッテリーポストに対して圧接状態となって、バッテリーターミナルの接続が完了する。
【００１８  】
請求項５に記載された本発明によれば、上締め用として必要がある際に上記の構成が締め付け手段として選択される。
【００１９  】
【発明の実施の形態】
以下、図面を参照して本発明の実施の形態を説明する。
図１は本発明のバッテリーターミナルの一実施の形態を示す平面図である。また、図２は正面図、図３は右側面図、図４は締め付け間隙から見た締め付け部としての連結部の形状説明図、図５は接続に係る締め付けの操作の際の状態を説明する状態説明図である。
【００２０  】
図１ないし図３において、バッテリーターミナル３１は、バッテリーターミナル本体３２と、複数の構成部材からなる締め付け装置３３（特許請求の範囲に記載した締め付け手段に相当）とを有して構成されており、先端側の直径が基端側の直径よりも小さいテーパ状のバッテリーポスト３４に巻着するようになっている。
【００２１  】
上記バッテリーターミナル本体３２は、導電性を有する金属板をプレス加工することにより製造されており、一対の環状部３５、３６と、一対の連結部３７、３７（特許請求の範囲に記載した締め付け部に相当）と、一対の接合板３８、３９とを有している。また、バッテリーターミナル本体３２は、一対の接合板３８、３９によって保持される端子固定ボルト４０を有している。尚、バッテリーポスト３４の軸方向を垂直方向とし、バッテリーポスト３４の先端側を上、基端側を下と定義すると、本明細書において、環状部３５が上、環状部３６が下となるようにこれらが配置されている。また、同様に、接合板３８が上、接合板３９が下となるようにこれらが配置されている。
【００２２  】
環状部３５は、平板状の上基板４１を有している。その上基板４１の略中央には、バッテリーポスト３４を挿入するためのバッテリーポスト挿入穴４２が上下方向に貫通形成されている。また、上基板４１の左右両端部には、先端が下に向く係合部４３、４３がそれぞれ連成されている。
【００２３  】
バッテリーポスト挿入穴４２は、バッテリーポスト３４の周側面に接触する部分であって、先端が下に向くように上基板４１から折り曲げられて形成されている。また、バッテリーポスト挿入穴４２は、バッテリーポスト３４の先端側の直径に合わせて環状に形成されている。さらに、バッテリーポスト挿入穴４２は、連結部３７、３７の間となる部分が分断された状態で形成されている。尚、引用符号４４はバッテリーポスト挿入穴４２の一部分断された部分を示している。
【００２４  】
環状部３６は、平板状の下基板４５を有している。その下基板４５の略中央には、バッテリーポスト３４を挿入するためのバッテリーポスト挿入穴４６が上下方向に貫通形成されている。また、下基板４５の左右両端部には、先端が上に向く係合部４７、４７（一方のみ図示。以下同様）がそれぞれ連成されている。
【００２５  】
バッテリーポスト挿入穴４６は、バッテリーポスト３４の周側面に接触する部分であって、先端が下に向くように下基板４５から折り曲げられて形成されている。また、バッテリーポスト挿入穴４６は、バッテリーポスト３４の基端側の直径に合わせて環状に形成されている。さらに、バッテリーポスト挿入穴４６は、連結部３７、３７の間となる部分が分断された状態で形成されている。尚、引用符号４８はバッテリーポスト挿入穴４６の一部分断された部分を示している。
【００２６  】
上基板４１の係合部４３、４３と下基板４５の係合部４７、４７は、その先端同士が対向するように配置されている。また、先端同士が当接若しくは近接した状態に配置されている。
【００２７  】
連結部３７、３７は、上基板４１及び下基板４５が上下に重なるようにこれらを連結する部分であって、Ｕ字状に湾曲させられた状態に形成（図４参照）されている。すなわち、連結部３７、３７の各一端が上基板４１の前端に連成され（前端における一部分断された部分４４の左右両側に連成される）、各他端が下基板４５の前端に連成されている（前端における一部分断された部分４８の左右両側に連成される）。また、連結部３７、３７は、上記の一部分断された部分４４、４８に連通する締め付け間隙４９を有して左右方向に並設されている。Ｕ字状に湾曲形成（図４参照）された内側には、左右方向に貫通する挿通空間５０、５０（図４参照。一方のみ図示）がそれぞれ形成されている。
【００２８  】
接合板３８は、上基板４１の後端に連成される接触板部５１と、その接触板部５１の左右両端部に連成される下向きの側壁５２、５２（一方のみ図示）とを有して構成されている。接触板部５１は、矩形状の平板であって、その中央には、端子固定ボルト４０に対するボルト挿通穴が貫通形成されている。
【００２９  】
接合板３９は、下基板４５の後端に連成されるボルト立設板部５３と、そのボルト立設板部５３の左右両端部及び後端部に連成される側壁５４、５４、５４（二つのみ図示）とを有して構成されている。側壁５４、５４の外側には、接合板３８の側壁５２、５２が配置されている。
【００３０  】
尚、接合板３８、３９及び端子固定ボルト４０により、従来例で説明したような外部接続端子１４（図８参照）に対する接続部が構成されるものとする。
【００３１  】
上記締め付け装置３３は、締め付け間隙４９を介して連結部３７、３７を互いに近づけ、バッテリーポスト挿入穴４２、４６を縮径方向に縮めるものであって、第一板ブラケット５５と、第一ボルト５６と、その第一ボルト５６に螺合する第一ナット５７と、第一ボルト５６に挿通されるワッシャ５８とを有して構成されている。
【００３２  】
第一板ブラケット５５は、帯状の金属板であって、連結部３７、３７に対し左右方向に巻き付くようになっている。また、第一板ブラケット５５は、その一端及び他端に図示しないボルト挿通孔を有するボルト挿通部５９、５９がそれぞれ形成されている。ボルト挿通部５９、５９は、その一方がワッシャ５８に面接触するようになっている。また、他方が第一ボルト５６の頭部６０に面接触するようになっている。ボルト挿通部５９、５９の各先端には、弾性を有し互いに接触しあう弾性接触片６１、６１が連成されている。その弾性接触片６１、６１は、中間が第一ボルト５６に挿通され、先端が挿通空間５０（図４参照）側に向くように折り曲げによって形成されている。
【００３３  】
第一ボルト５６は、その軸Ｌ１がバッテリーポスト挿入穴４２、４６の軸Ｌ２に沿って平行となるように配置されている。また、第一ナット５７及びワッシャ５８を上基板４１側から螺合及び挿通することができるように配置されている（第一ボルト５６の頭部６０が下基板４５側に配置される）。尚、第一ボルト５６は、ボルト挿通部５９、５９を挿通した後にワッシャ５８が挿通され、更に第一ナット５７が螺合するようになっている。
【００３４  】
次に、上記構成に基づき、バッテリーターミナル３１のバッテリーポスト３４に対する接続を説明する（図１〜図３、及び図５参照）。尚、バッテリーポスト３４を設けたバッテリー（不図示）の周辺には、設置部品（不図示）が水平方向に過密化した状態で設置されているものとする。
【００３５  】
先ず、矢線Ｐ方向（垂直方向に一致する）に移動させてバッテリーポスト３４の上記周側面にバッテリーポスト挿入穴４２、４６を接触させる。次に、バッテリーターミナル本体３２の向きを所定方向に合わせて配置する。続いて、バッテリーターミナル本体３２の上方から（垂直方向から）インパクトレンチ等の図示しない工具で第一ナット５７を矢線Ｑ方向に回転させ、接続に係る締め付けの操作を実施する。
【００３６  】
締め付けの操作において、第一ナット５７が矢線Ｑ方向に回転すると、第一ボルト５６及び第一ナット５７の螺合状態が進行する。そして、第一板ブラケット５５の各ボルト挿通部５９、５９が矢線Ｒ方向に互いに引き寄せられ、第一板ブラケット５５が第一ボルト５６及び第一ナット５７側に絞り込まれる。これにより、連結部３７、３７が互いに近づく方向（矢線Ｓ方向参照）に締め付けられる。また、バッテリーポスト挿入穴４２、４６が縮径方向に縮み、そのバッテリーポスト挿入穴４２、４６がバッテリーポスト３４の上記周側面に対して圧接状態になる。バッテリーターミナル３１の接続が完了する。
【００３７  】
尚、各ボルト挿通部５９、５９が矢線Ｒ方向に互いに引き寄せられると、弾性接触片６１、６１が互いに接触しあい、各ボルト挿通部５９、５９が第一ボルト５６側（第一ボルト５６の頭部６０）及び第一ナット５７側（ワッシャ５８）に押しつけられる。これにより、各ボルト挿通部５９、５９の引き寄せが安定した状態で行われる。
【００３８  】
以上説明したように、バッテリーターミナル本体３２の上方から（垂直方向から）インパクトレンチ等の図示しない工具を操作してバッテリーターミナル３１をバッテリーポスト３４に接続することができる。従って、上記図示しない工具と、バッテリー周辺の設置部品（不図示）との干渉が確実に避けられ、バッテリーターミナル３１の接続に係る作業（取り付けに係る作業）を容易に実施することができる。
【００３９  】
続いて、図６ないし図９を参照しながら本発明によるバッテリーターミナルの他の一実施の形態を説明する。図６は平面図、図７は正面図、図８は右側面図、図９は接続に係る締め付けの操作の際の状態を説明する状態説明図である。尚、上述と基本的に同じ構成部材については、同一の符号を付してその説明を省略するものとする。
【００４０  】
図６ないし図８において、バッテリーターミナル７１は、上述と同じバッテリーターミナル本体３２と、複数の構成部材からなる締め付け装置７２（特許請求の範囲に記載した締め付け手段に相当）とを有して構成されており、バッテリーポスト３４に巻着するようになっている。
【００４１  】
上記締め付け装置７２は、上述と同様に、締め付け間隙４９を介して締め付け部としての連結部３７、３７を互いに近づけ、バッテリーポスト挿入穴４２、４６を縮径方向に縮めるものであって、第二板ブラケット７３と、第二ボルト７４と、その第二ボルト７４に螺合する第二ナット７５とを有して構成されている。
【００４２  】
第二板ブラケット７３は、所定幅を有する環状の金属板であって、連結部３７、３７に対し左右方向に巻き付くようになっている。また、第二板ブラケット７３は、図示しないボルト挿通孔を有している。
【００４３  】
第二ボルト７４は、ネジ部７６と、そのネジ部７６の一端に連成される工具係合部分としての頭部７７と、ネジ部７６の他端に連成されて第二板ブラケット７３に押し付けられる押し付け部７８とを有して構成されている。また、第二ボルト７４は、その軸Ｌ３がバッテリーポスト挿入穴４２、４６の軸Ｌ２に沿って平行となるように配置されている。すなわち、頭部７７が上基板４１側に、押し付け部７８が下基板４５側（連結部３７、３７の下面と第二板ブラケット７３との間）に配置されている。
【００４４  】
尚、第二ボルト７４は、締め付け間隙４９に挿通されるようになっている。しかしながら、その締め付け間隙４９が狭い場合には、連結部３７、３７に第二ボルト７４に対する逃がし部分を形成する必要があるものとする。
【００４５  】
第二ナット７５は、連結部３７、３７の上面と第二板ブラケット７３との間に配置されている。そして、第二ナット７５と第二ボルト７４の頭部７７との間には、ネジ部７６に上記図示しないボルト挿通孔を挿通した第二板ブラケット７３が配置されている。
【００４６  】
上記構成に基づき、バッテリーターミナル７１のバッテリーポスト３４に対する接続を説明する（図６〜図９参照）。尚、バッテリーポスト３４を設けたバッテリー（不図示）の周辺には、設置部品（不図示）が水平方向に過密化した状態で設置されているものとする。
【００４７  】
先ず、矢線Ｐ方向（垂直方向に一致する）に移動させてバッテリーポスト３４の上記周側面にバッテリーポスト挿入穴４２、４６を接触させる。次に、バッテリーターミナル本体３２の向きを所定方向に合わせて配置する。続いて、バッテリーターミナル本体３２の上方から（垂直方向から）インパクトレンチ等の図示しない工具で第二ボルト７４の頭部７７を矢線Ｑ方向に回転させ、接続に係る締め付けの操作を実施する。
【００４８  】
締め付けの操作において、第二ボルト７４の頭部７７が矢線Ｑ方向に回転すると、第二ボルト７４及び第二ナット７５の螺合状態が進行する。そして、第二ナット７５と押し付け部７８とが離間する方向に移動し、第二板ブラケット７３がバッテリーポスト挿入穴４２、４６の軸Ｌ２に沿って広げられ（矢線Ｔ方向参照）、且つ左右方向に絞り込まれる。これにより、連結部３７、３７が互いに近づく方向（矢線Ｓ方向参照）に締め付けられる。また、バッテリーポスト挿入穴４２、４６が縮径方向に縮み、そのバッテリーポスト挿入穴４２、４６がバッテリーポスト３４の上記周側面に対して圧接状態になる。バッテリーターミナル７１の接続が完了する。
【００４９  】
以上説明したように、バッテリーターミナル本体３２の上方から（垂直方向から）インパクトレンチ等の図示しない工具を操作してバッテリーターミナル７１をバッテリーポスト３４に接続することができる。従って、上記図示しない工具と、バッテリー周辺の設置部品（不図示）との干渉が確実に避けられ、バッテリーターミナル７１の接続に係る作業（取り付けに係る作業）を容易に実施することができる。
【００５０  】
続いてさらに、図１０ないし図１４を参照しながら本発明によるバッテリーターミナルの他の一実施の形態を説明する。図１０は平面図、図１１は正面図、図１２は右側面図、図１３は締め付け装置の外観斜視図、図１４は接続に係る締め付けの操作の際の状態を説明する状態説明図である。尚、上述の二つの形態と基本的に同じ構成部材については、同一の符号を付してその説明を省略するものとする。
【００５１  】
図１０ないし図１２において、バッテリーターミナル８１は、上述と同じバッテリーターミナル本体３２と、複数の構成部材からなる締め付け装置８２（特許請求の範囲に記載した締め付け手段に相当）とを有して構成されており、バッテリーポスト３４に巻着するようになっている。
【００５２  】
上記締め付け装置８２は、上述と同様に、締め付け間隙４９を介して締め付け部としての連結部３７、３７を互いに近づけ、バッテリーポスト挿入穴４２、４６を縮径方向に縮めるものであって、第三板ブラケット８３と、第三ボルト８４とを有して構成されている（図１３参照）。
【００５３  】
第三板ブラケット８３は、帯状の金属板であって、連結部３７、３７に対し左右方向に巻き付くようになっている。第三板ブラケット８３の一端には、第三ボルト８４を回転自在に保持する保持部８５が形成されている。また、第三板ブラケット８３の表面には、第三ボルト８４のネジ山８６（図１４参照）が挿し込まれる複数の溝８７が形成されている。
【００５４  】
保持部８５は、略コ字状の形状であって、その内面には第三ボルト８４に対する雌ネジ部８８（図１４参照）が形成されている。また、保持部８５は、第三板ブラケット８３の他端側を挿し込み且つ挟んだ状態で第三ボルト８４を回転自在に保持することができるようになっている。
【００５５  】
第三ボルト８４は、ネジ山８６（図１４参照）を複数有する雄ネジ部８９と、その雄ネジ部８９の一端に連成される工具係合部分としての頭部９０とを有して構成されている。また、第三ボルト８４は、その軸Ｌ４がバッテリーポスト挿入穴４２、４６の軸Ｌ２に沿って平行となるように配置されている。尚、頭部９０が上基板４１側に配置されている。
【００５６  】
上記構成に基づき、バッテリーターミナル８１のバッテリーポスト３４に対する接続を説明する（図１０〜図１２、及び図１４参照）。尚、バッテリーポスト３４を設けたバッテリー（不図示）の周辺には、設置部品（不図示）が水平方向に過密化した状態で設置されているものとする。
【００５７  】
先ず、矢線Ｐ方向（垂直方向に一致する）に移動させてバッテリーポスト３４の上記周側面にバッテリーポスト挿入穴４２、４６を接触させる。次に、バッテリーターミナル本体３２の向きを所定方向に合わせて配置する。続いて、バッテリーターミナル本体３２の上方から（垂直方向から）インパクトレンチ等の図示しない工具で第三ボルト８４の頭部９０を矢線Ｑ方向に回転させ、接続に係る締め付けの操作を実施する。
【００５８】
締め付けの操作において、第三ボルト８４の頭部９０が矢線Ｑ方向に回転すると、第三板ブラケット８３の他端側が第三ボルト８４のネジ山８６によって巻き上げられ（矢線Ｕ方向参照）、第三板ブラケット８３が絞り込まれる。これにより、連結部３７、３７が互いに近づく方向（矢線Ｓ方向参照）に締め付けられる。また、バッテリーポスト挿入穴４２、４６が縮径方向に縮み、そのバッテリーポスト挿入穴４２、４６がバッテリーポスト３４の上記周側面に対して圧接状態になる。バッテリーターミナル８１の接続が完了する。
【００５９  】
以上説明したように、バッテリーターミナル本体３２の上方から（垂直方向から）インパクトレンチ等の図示しない工具を操作してバッテリーターミナル８１をバッテリーポスト３４に接続することができる。従って、上記図示しない工具と、バッテリー周辺の設置部品（不図示）との干渉が確実に避けられ、バッテリーターミナル８１の接続に係る作業（取り付けに係る作業）を容易に実施することができる。
【００６０  】
尚、上述の三つの形態から分かるように、バッテリーターミナル本体３２や、これに対応する従来例で説明した部分を流用することが可能である。これにより、エンジンルームレイアウト上の問題で、上から締める必要がある場合には上述の締め付け装置３３、７２及び８２のいずれかを用いればよい。また、レイアウト上問題がなければ、従来例で説明した横から締めるタイプを用いればよい。コストを抑えることができるようになるのは言うまでもない。その他、本発明は本発明の主旨を変えない範囲で種々変更実施可能なことは勿論である。すなわち、上述ではバッテリーターミナル本体３２をプレス加工により形成していたが、これに限らず鋳物等で形成してもよいものとする（この場合、例えば環状部、接合部が上述と異なり各一つになる）。また、プレス加工により形成するのであれば、バッテリーポストに外嵌される電極把持部と、その電極把持部の両端から対向して延出される一対の脚部とを有する帯状の金属板からなるタイプ（本願出願人が先に提案した特開平１１−２０４１７９号公報参照）のバッテリーターミナル本体に締め付け装置３３又は８２を適用させてもよいものとする。
【００６１  】
【発明の効果】
以上説明したように、請求項１に記載された本発明によれば、締め付け手段の操作をバッテリーターミナル本体の環状部の上側で行うことができる。すなわち、上締めにより行うことができる。これにより、締め付け手段に対する締め付け工具と、バッテリー周辺の設置部品との干渉が確実に避けられ、バッテリーターミナルの取り付けに係る作業を容易にすることができる。
【００６２  】
請求項２に記載された本発明によれば、請求項１の発明の効果に加え、各ボルト挿通部の引き寄せを安定した状態で行うことができるという効果を奏する。
【００６３  】
請求項３に記載された本発明によれば、締め付け手段の操作をバッテリーターミナル本体の環状部の上側で行うことができる。すなわち、上締めにより行うことができる。これにより、締め付け手段に対する締め付け工具と、バッテリー周辺の設置部品との干渉が確実に避けられ、バッテリーターミナルの取り付けに係る作業を容易にすることができる。
【００６４  】
請求項４に記載された本発明によれば、締め付け手段の操作をバッテリーターミナル本体の環状部の上側で行うことができる。すなわち、上締めにより行うことができる。これにより、締め付け手段に対する締め付け工具と、バッテリー周辺の設置部品との干渉が確実に避けられ、バッテリーターミナルの取り付けに係る作業を容易にすることができる。
【００６５  】
請求項５に記載された本発明によれば、上締め用として必要がある際に選択することができる。従って、コストを抑えることができる。
【図面の簡単な説明】
【図１】本発明によるバッテリーターミナルの一実施の形態を示す平面図である。
【図２】図１のバッテリーターミナルの正面図である。
【図３】図１のバッテリーターミナルの右側面図である。
【図４】締め付け間隙から見た締め付け部としての連結部の形状説明図である。
【図５】接続に係る締め付けの操作の際の状態を説明する状態説明図である。
【図６】本発明によるバッテリーターミナルの他の一実施の形態を示す平面図である。
【図７】図６のバッテリーターミナルの正面図である。
【図８】図６のバッテリーターミナルの右側面図である。
【図９】接続に係る締め付けの操作の際の状態を説明する状態説明図である。
【図１０】本発明によるバッテリーターミナルの更に他の一実施の形態を示す平面図である。
【図１１】図１０のバッテリーターミナルの正面図である。
【図１２】図１０のバッテリーターミナルの右側面図である。
【図１３】締め付け装置の外観斜視図である。
【図１４】接続に係る締め付けの操作の際の状態を説明する状態説明図（円内は要部拡大図）である。
【図１５】従来例のバッテリーターミナルの外観斜視図である。
【符号の説明】
３１、７１、８１  バッテリーターミナル
３２  バッテリーターミナル本体
３３、７２、８２  締め付け装置（締め付け手段）
３４  バッテリーポスト
３５、３６  環状部
３７  連結部（締め付け部）
３８、３９  接合板
４０  端子固定ボルト
４１  上基板
４２、４６  バッテリーポスト挿入穴
４３、４７  係合部
４４、４８  一部分断された部分
４５  下基板
４９  締め付け間隙
５０  挿通空間
５１  接触板部
５２、５４  側壁
５３  ボルト立設板部
５５  第一板ブラケット
５６  第一ボルト
５７  第一ナット
５８  ワッシャ
５９  ボルト挿通部
６０  頭部
６１  弾性接触片
７３  第二板ブラケット
７４  第二ボルト
７５  第二ナット
７６  ネジ部
７７  頭部
７８  押し付け部
８３  第三板ブラケット
８４  第三ボルト
８５  保持部
８６  ネジ山
８７  溝
８８  雌ネジ部
８９  雄ネジ部
９０  頭部
【図１】
0003907428.tif 000002
【図２】
0003907428.tif 000003
【図３】
0003907428.tif 000004
【図４】
0003907428.tif 000005
【図５】
0003907428.tif 000006
【図６】
0003907428.tif 000007
【図７】
0003907428.tif 000008
【図８】
0003907428.tif 000009
【図９】
0003907428.tif 000010
【図１０】
0003907428.tif 000011
【図１１】
0003907428.tif 000012
【図１２】
0003907428.tif 000013
【図１３】
0003907428.tif 000014
【図１４】
0003907428.tif 000015
【図１５】
0003907428.tif 000016